(57)【要約】【課題】分断部が視認されにくくなり、非表示領域における表示品質が改善され、より額縁の狭いＰＤＰが提供できる。【解決手段】第１電極および第２電極は、放電ギャップを介して対向する第１部分と、この第１部分から間隔をあけて平行に配置された第２部分と、第１部分と第２部分とを接続しかつ前記セル毎に設けた第３部分とを備え、前面板の画像を表示しない非表示領域において第２電極の第１部分および第２部分は分断部を有し、非表示領域が始まる第１番目のセルと第２番目のセルを区画する隔壁に対応する位置から第１番目のセル側に第１部分と第２部分のうちの一方の分断部が形成され、かつ、他方の分断部は第２番目のセル側に形成され、分断された非表示領域における第２電極は表示領域における第２電極と非導電であることを特徴とする。【選択図】図６
2013152835.tif 000002
【特許請求の範囲】
【請求項１】
基板に導電性の第１電極および第２電極を間に放電ギャップを設けて配置して表示電極を構成するとともにその表示電極を行方向に複数本配列して設けた前面板と、この前面板に間に放電空間を設けて対向配置されかつ前記表示電極と交差する列方向に複数本のデータ電極を形成して交差部分にセルを設けた背面板と、この背面板に設けられかつ前記放電空間を前記セル毎に区画する隔壁とを有し、
前記第１電極および第２電極は、放電ギャップを介して対向する第１部分と、この第１部分から間隔をあけて平行に配置された第２部分と、前記第１部分と第２部分とを接続しかつ前記セル毎に設けた第３部分とを備え、
前記前面板の画像を表示しない非表示領域において前記第２電極の前記第１部分および前記第２部分は分断部を有し、前記非表示領域が始まる第１番目のセルと第２番目のセルを区画する隔壁に対応する位置から前記第１番目のセル側に前記第１部分と前記第２部分のうちの一方の分断部が形成され、かつ、他方の分断部は前記第２番目のセル側に形成され、分断された前記非表示領域における第２電極は表示領域における前記第２電極と非導電であることを特徴とするプラズマディスプレイパネル。
【請求項２】
前記第１番目のセル上に前記第１部分の分断部が形成され、かつ、前記第２番目のセル上に前記第２部分の分断部が形成されることを特徴とする請求項１に記載のプラズマディスプレイパネル。
【請求項３】
前記分断部は１００μｍ以下９０μｍ以上であることを特徴とする請求項１に記載のプラズマディスプレイパネル。
【請求項４】
１つの第２電極の第２部分と行方向に隣り合う他方の第２電極の第２部分とを接続した第４部分を備えることを特徴とする請求項１〜請求項３のいずれかに記載のプラズマディスプレイパネル。
【請求項５】
前記第４部分の面積は、前記第４部分を有する前記第１部分の分断部と前記第２部分の分断部における面積を加算した面積値以下であることを特徴とする請求項４に記載のプラズマディスプレイパネル。
【請求項６】
前記第４部分の面積は、前記第４部分を有する前記第２部分の分断部における面積であることを特徴とする請求項４に記載のプラズマディスプレイパネル。
【発明の詳細な説明】
【技術分野】
【０００１】
本発明は、表示デバイスとしてのプラズマディスプレイパネルに関するものである。
【背景技術】
【０００２】
プラズマディスプレイパネル（以下、ＰＤＰと示す）は、大別して、駆動的にはＡＣ型とＤＣ型がある。放電形式では、面放電型と対向放電型の２種類があるが、高精細化、大画面化および製造の簡便性から、現状では、ＰＤＰの主流は、３電極構造の面放電型のものである。この面放電型のＰＤＰ構造は、少なくとも前面側が透明な一対の基板を基板間に放電空間が形成されるように対向配置される。そして、放電空間を複数に仕切るための隔壁が基板に配置され、かつ隔壁により仕切られた放電空間で放電が発生するように基板に電極群が配置される。そして、放電により発光する赤色、緑色、青色に発光する蛍光体が形成されて複数の放電セルが構成されている。そして、放電により発生する波長の短い真空紫外光によって蛍光体を励起し、赤色、緑色、青色の放電セルからそれぞれ赤色、緑色、青色の可視光を発することによりカラー表示を行っている。
【０００３】
このようなＰＤＰは、液晶パネルに比べて高速の表示が可能であり、視野角が広いこと、大型化が容易であること、自発光型であるため表示品質が高い。これにより、フラットパネルディスプレイの中で最近特に注目を集めており、多くの人が集まる場所での表示装置や家庭で大画面の映像を楽しむための表示装置として各種の用途に使用されている。
【０００４】
ところで、今日では、できるだけ消費電力を抑えた電気製品が望まれる。ＰＤＰにおいても駆動時の消費電力を低くする期待が寄せられている。特に昨今の大画面化および高精細化の動向によって、開発されるＰＤＰの消費電力が増加傾向にある。そのため、省電力化を実現させる技術への要望が高くなっている。また、ＰＤＰにおいては安定した画像表示性能を得ることも基本的に望まれる。
【０００５】
このようなことから、ＰＤＰの安定した駆動と発光輝度を維持しながら消費電力を低減させること、すなわち発光効率の向上が望まれる。また発光効率を向上させるために、例えば蛍光体が紫外線を可視光に変換する際の変換効率を向上させる研究もなされているが、さらなる発光効率の向上が望まれている。
【０００６】
一方、ＰＤＰにおいては、走査電極および維持電極を間に放電ギャップを設けて行方向に複数本配列して設けた前面板と、この前面板に間に放電空間を設けて対向配置した背面板と、前記放電空間を前記放電セル毎に区画する隔壁とを有し、前記走査電極および維持電極は、放電ギャップを介して対向する第１部分と、この第１部分から間隔をあけて平行に配置された第２部分と、第１部分と第２部分とを接続する第３部分とを備え、かつ前記第１部分および第２部分の幅を第３部分の幅より細くした構造が開示されている（例えば、特許文献１参照）。
【先行技術文献】
【特許文献】
【０００７】
【特許文献１】特開２０１１−１５９６１３号公報
【発明の概要】
【発明が解決しようとする課題】
【０００８】
近年、ＰＤＰでは表示面を大きく見せるために、外枠部をより狭小にした狭額縁のＰＤＰが注目されている。この場合、表示面において放電して実際に画面を表示する有効表示領域と表示しない非表示領域との境界が視認される程度に目立つと違和感が生ずるなどの品質上の問題が生ずる。
【０００９】
そこで、本発明は、表示面において領域境界部の差が目立たない表示品質に優れたＰＤＰを提供することを目的とする。
【課題を解決するための手段】
【００１０】
上記課題を解決するために、本発明のプラズマディスプレイパネルは、基板に導電性の第１電極および第２電極を間に放電ギャップを設けて配置して表示電極を構成するとともにその表示電極を行方向に複数本配列して設けた前面板と、この前面板に間に放電空間を設けて対向配置されかつ表示電極と交差する列方向に複数本のデータ電極を形成して交差部分にセルを設けた背面板と、この背面板に設けられかつ放電空間をセル毎に区画する隔壁とを有し、第１電極および第２電極は、放電ギャップを介して対向する第１部分と、この第１部分から間隔をあけて平行に配置された第２部分と、第１部分と第２部分とを接続しかつセル毎に設けた第３部分とを備えており、前面板の画像を表示しない非表示領域において第２電極の第１部分および第２部分は分断部を有し、非表示領域が始まる第１番目のセルと第２番目のセルを区画する隔壁に対応する位置から第１番目のセル側に第１部分と第２部分のうちの一方の分断部が形成され、かつ、他方の分断部は第２番目のセル側に形成され、分断された非表示領域における第２電極は表示領域の第２電極と非導電であることを特徴とする。
【発明の効果】
【００１１】
本発明によれば、画面上の色の境界部が視認されにくい表示品質の優れた狭額縁のＰＤＰを提供することができる。
【図面の簡単な説明】
【００１２】
【図１】本発明の実施の形態によるＰＤＰを示す分解斜視図
【図２】本発明の実施の形態によるＰＤＰの放電セル部分の構成を示す断面図
【図３】本発明の実施の形態によるＰＤＰの電極配列図
【図４】本発明の実施の形態によるＰＤＰを用いたＰＤＰ装置の全体構成を示すブロック図
【図５】本発明の実施の形態によるＰＤＰの各電極に印加する駆動電圧波形を示す図
【図６】本発明の実施の形態によるＰＤＰの表示電極を構成する走査電極および維持電極とデータ電極と隔壁との配置関係を示す平面図
【図７】本発明の実施の形態によるＰＤＰの各領域における走査電極と維持電極の構造を示す図
【図８】（ａ）非表示領域における走査電極と維持電極の従来の構造を示す図、（ｂ）非表示領域における走査電極と維持電極の従来の構造を採用した場合の反射率差分を示した図
【図９】（ａ）本発明の実施の形態によるＰＤＰの非表示領域における走査電極と維持電極の構造を示す図、（ｂ）本発明の実施の形態１によるＰＤＰの非表示領域における走査電極と維持電極の構造を採用した場合の反射率差分を示した図
【図１０】（ａ）本発明の実施の形態によるＰＤＰの非表示領域における走査電極と維持電極の構造を示す図、（ｂ）本発明の実施の形態２によるＰＤＰの非表示領域における走査電極と維持電極の構造を採用した場合の反射率差分を示した図
【発明を実施するための形態】
【００１３】
＜実施の形態１＞
以下、本発明の実施の形態１によるＰＤＰについて、図を用いて説明する。しかし、本発明の実施の態様は実施の形態１に限定されるものではない。
【００１４】
まず、本発明の実施の形態１によるＰＤＰの全体構成について、図を用いて説明する。
【００１５】
１、ＰＤＰの構成
図１は本発明の実施の形態１によるＰＤＰにおいて、前面板と背面板とを分離した状態で示す分解斜視図、図２は前面板と背面板とを貼り合わせてＰＤＰとしたときの放電セル構造を示す断面図である。この図１、図２に示すように、ＰＤＰは、ガラス製の前面板１と背面板２とを、その間に放電空間３を形成するように対向配置することにより構成されている。
【００１６】
前面板１は、ガラス製の前面基板４上に導電性の第１電極である走査電極５および第２電極である維持電極６を、間に放電ギャップＭＧを設けて互いに平行に配置して表示電極７を構成するとともに、その表示電極７を行方向に複数本配列して設け、そして走査電極５および維持電極６を覆うようにガラス材料からなる誘電体層８が形成され、その誘電体層８上にはＭｇＯからなる保護膜９が形成されている。
【００１７】
走査電極５および維持電極６は、それぞれＩＴＯなどの透明電極を用いず、Ａｇからなる膜厚が数μｍ程度の導電性金属から構成され、しかも走査電極５および維持電極６は、図２に示すように、少なくとも２層構造（図示のものは２層）とし、そして前面基板４側の下層５ａ、６ａは黒色系の金属酸化物を含有する材料により構成するとともに、上層５ｂ、６ｂは下層５ａ、６ａより比抵抗が小さくなるようにＡｇの含有量を増やした白色系の材料により構成することにより、前面基板４側の下層５ａ、６ａが上層５ｂ、６ｂより明度が低くなるように構成している。すなわち、走査電極５および維持電極６からなる表示電極７は、前面基板４側の表示面から見たとき前記走査電極５および維持電極６からなる表示電極７の明度が低くなるように構成することにより、表示電極７間に遮光部材が存在しない構成としている。
【００１８】
また、背面板２は、ガラス製の背面基板１０上に、ガラス材料からなる絶縁体層１１で覆われかつ列方向にストライプ状に配列したＡｇからなる複数本のデータ電極１２が設けられ、そして絶縁体層１１上には、前面板１と背面板２との間の放電空間３を放電セル毎に区画するためのガラス材料からなる井桁状の隔壁１３が設けられている。また、絶縁体層１１の表面および隔壁１３の側面には、赤色（Ｒ）、緑色（Ｇ）、青色（Ｂ）の蛍光体層１４Ｒ、１４Ｇ、１４Ｂが設けられている。そして、走査電極５および維持電極６とデータ電極１２とが交差するように前面板１と背面板２とが対向配置され、前記走査電極５および維持電極６とデータ電極１２が交差する交差部分には、図３に示すように、放電セル１５が設けられている。また、放電空間３には、放電ガスとして、例えばネオンとキセノンの混合ガスが封入されている。なお、ＰＤＰの構造は上述したものに限られるわけではなく、例えばストライプ状の隔壁を備えたものであってもよい。
【００１９】
ここで、図２に示すように、放電セル１５を形成する井桁形状の隔壁１３は、データ電極１２に平行に形成された縦隔壁１３ａと、この縦隔壁１３ａに直交するように形成した横隔壁１３ｂとから構成されている。また、この隔壁１３内に塗布して形成される蛍光体層１４Ｒ、１４Ｇ、１４Ｂは、縦隔壁１３ａに沿ってストライプ状に青色蛍光体層１４Ｂ、赤色蛍光体層１４Ｒ、緑色蛍光体層１４Ｇの順に配列して形成されている。
【００２０】
図３はこの図１、図２に示すＰＤＰの電極配列図である。行方向に長いｎ本の走査電極Ｙ１、Ｙ２、Ｙ３・・・Ｙｎ（図１の５）およびｎ本の維持電極Ｘ１、Ｘ２、Ｘ３・・・Ｘｎ（図１の６）が配列され、列方向に長いｍ本のデータ電極Ａ１・・・Ａｍ（図１の１２）が配列されている。そして、１対の走査電極Ｙ１および維持電極Ｘ１と１つのデータ電極Ａ１とが交差した部分に放電セル１５が形成され、放電セル１５は放電空間内にｍ×ｎ個形成されている。また、前記走査電極Ｙ１および維持電極Ｘ１は、図３に示すように、走査電極Ｙ１−維持電極Ｘ１−維持電極Ｘ２−走査電極Ｙ２・・・・の配列で繰り返すパターンで、前面板１に形成されている。そしてこれらの電極のそれぞれは、前面板１、背面板２の画像表示領域外の周辺端部に設けられた接続端子それぞれに接続されている。
【００２１】
２、ＰＤＰ装置の構成
次に、上述したＰＤＰを用いたプラズマディスプレイ装置（以下、ＰＤＰ装置と示す）の全体構成について説明する。
【００２２】
図４はプラズマディスプレイ装置の全体構成を示すブロック図である。このＰＤＰ装置は、図１〜図３に示す構成のＰＤＰ２１、画像信号処理回路２２、データ電極駆動回路２３、走査電極駆動回路２４、維持電極駆動回路２５、タイミング発生回路２６および電源回路（図示せず）を備えている。また、データ電極駆動回路２３は、ＰＤＰ２１のデータ電極１２の一端に接続され、かつデータ電極１２に電圧を供給するための半導体素子からなる複数のデータドライバを有している。データ電極１２は、数本ずつのデータ電極１２で１ブロックとして複数のブロックに分割し、そのブロック単位で複数のデータドライバをＰＤＰ２１の下端部の電極引出部に接続して配置している。
【００２３】
図４において、画像信号処理回路２２は、画像信号ｓｉｇをサブフィールド毎の画像データに変換する。データ電極駆動回路２３はサブフィールド毎の画像データを各データ電極Ａ１〜Ａｍに対応する信号に変換し、各データ電極Ａ１〜Ａｍを駆動する。タイミング発生回路２６は水平同期信号Ｈおよび垂直同期信号Ｖをもとにして各種のタイミング信号を発生し、各駆動回路ブロックに供給している。走査電極駆動回路２４はタイミング信号にもとづいて走査電極Ｙ１〜Ｙｎに駆動電圧波形を供給し、維持電極駆動回路２５はタイミング信号にもとづいて維持電極Ｘ１〜Ｘｎに駆動電圧波形を供給する。なお、維持電極側は、ＰＤＰ２１内、またはＰＤＰ２１外において共通に接続された後、その共通接続配線が維持電極駆動回路２５に接続されている。
【００２４】
３、ＰＤＰの駆動について
次に、ＰＤＰ２１を駆動するための駆動電圧波形とその動作について図５を用いて説明する。図５はＰＤＰ２１の各電極に印加する駆動電圧波形を示す図である。
【００２５】
本実施の形態によるＰＤＰ２１においては、１フィールドを複数のサブフィールドに分割し、それぞれのサブフィールドは初期化期間、書込み期間、維持期間を有している。
【００２６】
３−１、初期化期間
第１サブフィールドの初期化期間では、データ電極Ａ１〜Ａｍおよび維持電極Ｘ１〜Ｘｎを０（Ｖ）に保持し、走査電極Ｙ１〜Ｙｎに対して放電開始電圧以下となる電圧Ｖｉ１（Ｖ）から放電開始電圧を超える電圧Ｖｉ２（Ｖ）に向かって緩やかに上昇するランプ電圧を印加する。すると、すべての放電セルにおいて１回目の微弱な初期化放電を起こし、走査電極Ｙ１〜Ｙｎ上に負の壁電圧が蓄えられるとともに維持電極Ｘ１〜Ｘｎ上およびデータ電極Ａ１〜Ａｍ上に正の壁電圧が蓄えられる。ここで、電極上の壁電圧とは電極を覆う誘電体層や蛍光体層上等に蓄積した壁電荷により生じる電圧を指す。
【００２７】
その後、維持電極Ｘ１〜Ｘｎを正の電圧Ｖｈ（Ｖ）に保ち、走査電極Ｙ１〜Ｙｎに電圧Ｖｉ３（Ｖ）から電圧Ｖｉ４（Ｖ）に向かって緩やかに下降するランプ電圧を印加する。すると、すべての放電セルにおいて２回目の微弱な初期化放電を起こし、走査電極Ｙ１〜Ｙｎ上と維持電極Ｘ１〜Ｘｎ上との間の壁電圧が弱められ、データ電極Ａ１〜Ａｍ上の壁電圧も書込み動作に適した値に調整される。
【００２８】
３−２、書込み期間
続く書込み期間では、走査電極Ｙ１〜Ｙｎを一旦Ｖｒ（Ｖ）に保持する。次に、１行目の走査電極Ｙ１に負の走査パルス電圧Ｖａ（Ｖ）を印加するとともに、データ電極Ａ１〜Ａｍのうち１行目に表示すべき放電セルのデータ電極Ａｋ（ｋ＝１〜ｍ）に正の書込みパルス電圧Ｖｄ（Ｖ）を印加する。このときデータ電極Ａｋと走査電極Ｙ１との交差部の電圧は、外部印加電圧（Ｖｄ−Ｖａ）（Ｖ）にデータ電極Ａｋ上の壁電圧と走査電極Ｙ１上の壁電圧とが加算されたものとなり、放電開始電圧を超える。そして、データ電極Ａｋと走査電極Ｙ１との間および維持電極Ｘ１と走査電極Ｙ１との間に書込み放電が起こり、この放電セルの走査電極Ｙ１上に正の壁電圧が蓄積され、維持電極Ｘ１上に負の壁電圧が蓄積され、データ電極Ａｋ上にも負の壁電圧が蓄積される。
【００２９】
このようにして、１行目に表示すべき放電セルで書込み放電を起こして各電極上に壁電圧を蓄積する書込み動作が行われる。一方、書込みパルス電圧Ｖｄ（Ｖ）を印加しなかったデータ電極Ａ１〜Ａｍと走査電極Ｙ１との交差部の電圧は放電開始電圧を超えないので、書込み放電は発生しない。以上の書込み動作をｎ行目の放電セルに至るまで順次行い、書込み期間が終了する。
【００３０】
３−３、維持期間
続く維持期間では、走査電極Ｙ１〜Ｙｎには第１の電圧として正の維持パルス電圧Ｖｓ（Ｖ）を、維持電極Ｘ１〜Ｘｎには第２の電圧として接地電位、すなわち０（Ｖ）をそれぞれ印加する。このとき書込み放電を起こした放電セルにおいては、走査電極Ｙｉ（ｉ＝１〜ｎ）上と維持電極Ｘｉ上との間の電圧は維持パルス電圧Ｖｓ（Ｖ）に走査電極Ｙｉ上の壁電圧と維持電極Ｘｉ上の壁電圧とが加算されたものとなり、放電開始電圧を超える。そして、走査電極Ｙｉと維持電極Ｘｉとの間に維持放電が起こり、このとき発生した紫外線により蛍光体層が発光する。そして走査電極Ｙｉ上に負の壁電圧が蓄積され、維持電極Ｘｉ上に正の壁電圧が蓄積される。このときデータ電極Ａｋ上にも正の壁電圧が蓄積される。
【００３１】
書込み期間において書込み放電が起きなかった放電セルでは、維持放電は発生せず、初期化期間の終了時における壁電圧が保持される。続いて、走査電極Ｙ１〜Ｙｎには第２の電圧である０（Ｖ）を、維持電極Ｘ１〜Ｘｎには第１の電圧である維持パルス電圧Ｖｓ（Ｖ）をそれぞれ印加する。すると、維持放電を起こした放電セルでは、維持電極Ｘｉ上と走査電極Ｙｉ上との間の電圧が放電開始電圧を超えるので、再び維持電極Ｘｉと走査電極Ｙｉとの間に維持放電が起こり、維持電極Ｘｉ上に負の壁電圧が蓄積され走査電極Ｙｉ上に正の壁電圧が蓄積される。
【００３２】
３−４、第２サブフィールド以降
以降同様に、走査電極Ｙ１〜Ｙｎと維持電極Ｘ１〜Ｘｎとに交互に輝度重みに応じた数の維持パルスを印加することにより、書込み期間において書込み放電を起こした放電セルで維持放電が継続して行われる。こうして維持期間における維持動作が終了する。続くサブフィールドにおける初期化期間、書込み期間、維持期間の動作も第１サブフィールドにおける動作とほぼ同様のため、説明を省略する。
【００３３】
４、ＰＤＰの製造方法について
４−１、前面板の製造方法
フォトリソグラフィ法によって、前面基板４上に、走査電極５および維持電極６が形成される。走査電極５および維持電極６の材料には、銀（Ａｇ）と銀を結着させるためのガラスフリットと感光性樹脂と溶剤などを含む電極ペーストが用いられる。まず、スクリーン印刷法などによって、電極ペーストが、前面基板４に塗布される。次に、乾燥炉によって、電極ペースト中の溶剤が除去される。次に、所定のパターンのフォトマスクを介して、電極ペーストが露光される。
【００３４】
次に、電極ペーストが現像され、表示電極パターンが形成される。最後に、焼成炉によって、表示電極パターンが所定の温度で焼成される。つまり、表示電極パターン中の感光性樹脂が除去される。また、電極パターン中のガラスフリットが溶融する。その後、室温まで冷却することにより、溶融していたガラスフリットが、ガラス化する。以上の工程によって、走査電極５および維持電極６が形成される。
【００３５】
ここで、電極ペーストをスクリーン印刷する方法以外にも、スパッタ法、蒸着法などを用いることができる。
【００３６】
次に、誘電体層８が形成される。誘電体層８の材料には、誘電体ガラスフリットと樹脂と溶剤などを含む誘電体ペーストが用いられる。まずダイコート法などによって、誘電体ペーストが所定の厚みで走査電極５、維持電極６を覆うように前面基板４上に塗布される。次に、乾燥炉によって、誘電体ペースト中の溶剤が除去される。最後に、焼成炉によって、誘電体ペーストが所定の温度で焼成される。つまり、誘電体ペースト中の樹脂が除去される。また、誘電体ガラスフリットが溶融する。その後、室温まで冷却することにより、溶融していた誘電体ガラスフリットが、ガラス化する。以上の工程によって、誘電体層８が形成される。ここで、誘電体ペーストをダイコートする方法以外にも、スクリーン印刷法、スピンコート法などを用いることができる。また、誘電体ペーストを用いずに、ＣＶＤ（Ｃｈｅｍｉｃａｌ  Ｖａｐｏｒ  Ｄｅｐｏｓｉｔｉｏｎ）法などによって、誘電体層８となる膜を形成することもできる。
【００３７】
次に、誘電体層８上に保護層９が形成される。
【００３８】
以上の工程により前面基板４上に走査電極５、維持電極６、誘電体層８および保護層９を有する前面板１が完成する。
【００３９】
４−２、背面板２の製造方法
フォトリソグラフィ法によって、背面基板１０上に、データ電極１２が形成される。データ電極１２の材料には、導電性を確保するための銀（Ａｇ）と銀を結着させるためのガラスフリットと感光性樹脂と溶剤などを含むデータ電極ペーストが用いられる。まず、スクリーン印刷法などによって、データ電極ペーストが所定の厚みで背面基板１０上に塗布される。次に、乾燥炉によって、データ電極ペースト中の溶剤が除去される。次に、所定のパターンのフォトマスクを介して、データ電極ペーストが露光される。次に、データ電極ペーストが現像され、データ電極パターンが形成される。最後に、焼成炉によって、データ電極パターンが所定の温度で焼成される。つまり、データ電極パターン中の感光性樹脂が除去される。また、データ電極パターン中のガラスフリットが溶融する。その後、室温まで冷却することにより、溶融していたガラスフリットが、ガラス化する。以上の工程によって、データ電極１２が形成される。ここで、データ電極ペーストをスクリーン印刷する方法以外にも、スパッタ法、蒸着法などを用いることができる。
【００４０】
次に、絶縁体層１１が形成される。絶縁体層１１の材料には、絶縁体ガラスフリットと樹脂と溶剤などを含む絶縁体ペーストが用いられる。まず、スクリーン印刷法などによって、絶縁体ペーストが所定の厚みでデータ電極１２が形成された背面基板１０上にデータ電極１２を覆うように塗布される。次に、乾燥炉によって、絶縁体ペースト中の溶剤が除去される。最後に、焼成炉によって、絶縁体ペーストが所定の温度で焼成される。つまり、絶縁体ペースト中の樹脂が除去される。また、絶縁体ガラスフリットが溶融するその後、室温まで冷却することにより、溶融していた絶縁体ガラスフリットが、ガラス化する。以上の工程によって、絶縁体層１１が形成される。ここで、絶縁体ペーストをスクリーン印刷する方法以外にも、ダイコート法、スピンコート法などを用いることができる。また、絶縁体ペーストを用いずに、ＣＶＤ（Ｃｈｅｍｉｃａｌ  Ｖａｐｏｒ  Ｄｅｐｏｓｉｔｉｏｎ）法などによって、絶縁体層１１となる膜を形成することもできる。
【００４１】
次に、フォトリソグラフィ法によって、隔壁１３が形成される。隔壁１３の材料には、フィラーと、フィラーを結着させるためのガラスフリットと、感光性樹脂と、溶剤などを含む隔壁ペーストが用いられる。まず、ダイコート法などによって、隔壁ペーストが所定の厚みで絶縁体層１１上に塗布される。次に、乾燥炉によって、隔壁ペースト中の溶剤が除去される。次に、所定のパターンのフォトマスクを介して、隔壁ペーストが露光される。次に、隔壁ペーストが現像され、隔壁パターンが形成される。最後に、焼成炉によって、隔壁パターンが所定の温度で焼成される。つまり、隔壁パターン中の感光性樹脂が除去される。また、隔壁パターン中のガラスフリットが溶融する。その後、室温まで冷却することにより、溶融していたガラスフリットが、ガラス化する。以上の工程によって、隔壁１３が形成される。ここで、フォトリソグラフィ法以外にも、サンドブラスト法などを用いることができる。
【００４２】
次に、蛍光体層１４が形成される。蛍光体層１４の材料には、蛍光体粒子とバインダと溶剤などとを含む蛍光体ペーストが用いられる。まず、ディスペンス法などによって、蛍光体ペーストが所定の厚みで隣接する複数の隔壁１３間の絶縁体層１１上および隔壁１３の側面に塗布される。次に、乾燥炉によって、蛍光体ペースト中の溶剤が除去される。最後に、焼成炉によって、蛍光体ペーストが所定の温度で焼成される。つまり、蛍光体ペースト中の樹脂が除去される。以上の工程によって、蛍光体層１４が形成される。ここで、ディスペンス法以外にも、スクリーン印刷法などを用いることができる。
【００４３】
以上の工程により、背面基板１０上に、データ電極１２、絶縁体層１１、隔壁１３および蛍光体層１４を有する背面板２が完成する。
【００４４】
４−３、前面板１と背面板２との組立方法
まず、ディスペンス法などによって、背面板２の周囲に封着ペーストが塗布される。封着ペーストは、ビーズと低融点ガラス材料とバインダと溶剤などを含んでいてもよい。塗布された封着ペーストは、封着ペースト層（図示せず）を形成する。次に乾燥炉によって、封着ペースト層中の溶剤が除去される。その後、封着ペースト層は、約３５０℃の温度で仮焼成される。仮焼成によって、封着ペースト層中の樹脂成分などが除去される。次に、表示電極７とデータ電極１２とが直交するように、前面板１と背面板２とが対向配置される。
【００４５】
さらに、前面板１と背面板２の周縁部が、クリップなどにより押圧した状態で保持される。この状態で、所定の温度で焼成することにより、低融点ガラス材料が溶融する。その後、室温まで冷却することにより、溶融していた低融点ガラス材料がガラス化する。これにより、前面板１と背面板２とが気密封着される。最後に、放電空間にＮｅ、Ｘｅなどを含む放電ガスが封入されることによりＰＤＰ２１が完成する。
【００４６】
５、表示電極の詳細
上述したように、本発明のプラズマディスプレイパネルにおいては、前面板１の表示電極７を構成する走査電極５および維持電極６は、それぞれＩＴＯなどの透明電極を用いず、Ａｇなどの導電性材料からなる導電性電極のみにより構成している。図６に、表示電極７を構成する走査電極５および維持電極６と、データ電極１２と、隔壁１３との配置図を示している。
【００４７】
図６に示すように、表示電極７を構成する走査電極５および維持電極６は、それぞれ梯子型形状をしており、放電ギャップＭＧを介して対向する第１部分５１、６１と、この第１部分５１、６１から間隔をあけて平行に配置された第２部分５２、６２と、前記第１部分５１、６１と第２部分５２、６２とを接続しかつ前記放電セル１５毎に設けた第３部分５３、６３とを備えている。また、走査電極５および維持電極６間の放電ギャップＭＧは９０μｍ〜１００μｍであり、また走査電極５および維持電極６それぞれの第１部分５１、６１と第２部分５２、６２との間のギャップＬＧは約８０μｍであり、隣接する放電セル１５間の非放電ギャップＩＰＧ（約２００μｍ）より小さくなるように形成されている。
【００４８】
一般にプラズマディスプレイパネルにおいては、隔壁１３を構成する材料として比較的明度の高いガラス材料が使用されるため、隣接する放電セル１５の非放電ギャップＩＰＧ部分に遮光部材を配置することにより、十分なコントラスト比を確保する構造が採用されるが、本発明のように、表示面側から見たとき明度が低くなるように形成した表示電極７を構成する走査電極５および維持電極６は、放電ギャップＭＧを介して対向する第１部分５１、６１と、この第１部分５１、６１から間隔をあけて平行に配置された第２部分５２、６２と、前記第１部分５１、６１と第２部分５２、６２とを接続しかつ前記放電セル１５毎に設けた第３部分５３、６３とを備えることにより、隣接する放電セル１５の非放電ギャップＩＰＧ部分に遮光部材を配置しなくても、遮光部材を配置した場合と同様に、十分なコントラスト比を確保した表示性能を備えたパネルを得ることが可能となる。
【００４９】
６、非表示領域における表示電極の構造
本発明では、図７に示すように外枠部で覆われていない表示画面を有効表示領域と、非表示領域である無画部Ａと、非表示領域である無画部Ｂと大きく３つの領域に分類している。なお、図７はＰＤＰを見たときの右方向に相当する部分である。ＰＤＰの左方向も右方向同様に有効表示領域と無画部Ａと無画部Ｂとに分類され、同様に配置される。
【００５０】
非表示領域は有効表示領域の外側部分であり、有効表示領域から外側に無画部Ａ、無画部Ｂが順に配置される。
【００５１】
有効表示領域とは放電セルが放電することにより点灯し、画像が表示される領域である。
【００５２】
一方、非表示領域は画像が表示されない領域である。つまり、無画部Ａと無画部Ｂとは、画像が表示されない領域である。
【００５３】
本実施の形態では、図７に示すように、ＰＤＰを見たときの右側に相当する部分について説明する。
【００５４】
本実施の形態では無画部Ａは隔壁で区画されたセルを有する非表示領域であり、無画部Ｂは隔壁が形成されない非表示領域とする。
【００５５】
次に、有効表示領域から非表示領域までの維持電極および走査電極の構造を説明する。以下の説明は、ＰＤＰを見たときの右方向に相当する部分である。
【００５６】
従来の一般的な電極構造では、走査電極５は端子部まで引き出されるが、維持電極６は無画部Ａの領域内で終端しており、走査電極５同様に非表示領域においても延長して引き出されることがない。しかし、額縁がよりＰＤＰの外側に設けられることにより、無画部Ａおよび無画部Ｂが額縁に覆われることなく露出して見えるようになる。
【００５７】
すると、表示画面に維持電極６の終端部が明確に視認され、終端部より外側と内側とで反射率が異なるため、違和感が生ずるという問題がある。
【００５８】
よって、表示画面に違和感が生じないように無画部Ｂまで、維持電極６を延長して有効表示領域と同等の電極構造を設置する必要がある。
【００５９】
しかし、維持電極６を無画部Ｂまで延長すると、走査電極と維持電極間で誤った放電が発生する問題がある。
【００６０】
そこで、図８（ａ）に示すように有効表示領域における維持電極６が無画部Ａおよび無画部Ｂまで延長され、無画部Ａにおいて分断部を有する構造を備えている。
【００６１】
つまり、分断部を介して無画部Ｂ方向に延長される維持電極６は、有効表示領域における維持電極６と導通していない。この維持電極を本実施の形態では、フローティング維持電極６ａと記載する。フローティング維持電極６ａはＰＤＰの端部まで引き出されないので、非表示領域内にフローティング維持電極６ａの終端部が設けられる。
【００６２】
ところで、図８（ａ）に示すように、維持電極６の第１部分６１と第２部分６２をＰＤＰの列方向において同じ場所で分断する電極構造がある。しかし、この電極構造では分断部分が列方向に対して連続になり、維持電極６とフローティング維持電極６ａとの境界が明確に視認されるため、表示画面の表示品質が低下する恐れがある。
【００６３】
６−１、非表示領域における表示電極の構造１
そこで、本発明のＰＤＰは、画像を表示しない非表示領域において第２電極の第１部分および第２部分は分断部を有し、非表示領域が始まる第１番目のセルと第２番目のセルを区画する隔壁に対応する位置から第１番目のセル側に第１部分と第２部分のうちの一方の分断部が形成され、かつ、他方の分断部は第２番目のセル側に形成され、分断された非表示領域における第２電極は非導電性であることを特徴とする。
【００６４】
これにより分断部がＰＤＰの行方向に対して連続して形成されることを防ぐため、分断部が視認されるまでに境界が明確になってしまうことを防ぐ。その結果、有効表示領域と非表示領域との反射率の差がより小さくなるため、額縁をより外側に設けたとしても、表示品質を保つことが可能となる。
【００６５】
以下、より具体的に説明する。本実施の形態では、無画部Ａは有効表示領域における最外の縦隔壁の中心から非表示領域における最外の縦隔壁端部までの領域である。そして、無画部Ｂは、無画部Ａの終端部から外側方向の領域であり、無画部Ａの最外の縦隔壁端部より外側の領域である。
【００６６】
無画部Ａにおいて、無画部Ａが始まる第１番目から第３番目のセルに、背面基板に絶縁体層、隔壁が形成され、隔壁で区画されたセルが３つ形成され、蛍光体が塗布されている。そして、無画部Ａが始まる第１番目のセルのみにデータ電極が形成されている。
【００６７】
一方無画部Ｂにおいて、隔壁が形成されておらず、絶縁体層が蛍光体層に覆われておらず露出した状態である。
【００６８】
無画部Ａでの維持電極６の構造は、第１部分６１において、無画部Ａが始まる第１番目のセルを形成する外側の縦隔壁を中心として、有効表示領域側に分断部を有する。
【００６９】
つまり、無画部Ａが始まる第１番目のセルに対応する位置に分断部を有する。さらに、第２部分６２において、無画部Ａが始まる第１番目のセルを形成する外側の縦隔壁を中心として、無画部Ｂ側に分断部を有する。図９（ａ）には、第２部分６２の分断部は無画部Ａが始まる第２番目のセルに対応する位置に形成されている。これにより、非表示領域における誤った放電が発生するのを防ぐことができる。
【００７０】
分断部の距離は、放電ギャップＭＧの距離と同等の９０μｍ以上１００μｍ以下であることが好ましい。これにより、維持電極６の分断部がより短いため、維持電極６とフローティング維持電極６ａとの境界が曖昧になる。その結果、表示画面に違和感が生じる問題を解決することができる。
【００７１】
６−２、非表示領域における表示電極の構造２
次に、６−１で説明した構造１と異なる構造についてのみ説明する。図１０（ａ）に示すように、構造２は構造１に対してさらに非放電ギャップＩＰＧにおいて隣接する維持電極６の第２部分６２が第４部分６４によって接続されている。そして、第１部分６１の幅をＬ１、第２部分６２の幅をＬ２、維持電極６の分断部の長さをＷｓ、放電しない非放電ギャップＩＰＧ部分の長さをＩＰＧｓとしたときに、第４部分６４の幅Ｗ４は下記の（式１）のように規定されている。
【００７２】
Ｗ４≦２＊（Ｌ１+Ｌ２）＊Ｗｓ／ＩＰＧｓ・・・（式１）
つまり、第４部分６４の面積は、隣接する維持電極６の４つの分断部の面積以下である。
【００７３】
Ｗ４＝２＊（Ｌ１+Ｌ２）＊Ｗｓ／ＩＰＧｓが成り立つ場合、隣接する維持電極６の４つの分断部の合計面積と第４部分６４の面積とが同じである。しかし、第４部分６４の面積が隣り合う維持電極６の４つの分断部の合計面積と同じである場合、第４部分６４の幅Ｗ４がより太くなり、ＰＤＰの表示画面を見たときに、第４部分６４が明確に視認され表示品質が低下することがある。違和感が生じることがある。
【００７４】
よって、第４部分６４の面積は、隣り合う維持電極６の第２部分６２あるいは第１部分６１の合計面積と同等であることが好ましい。つまり、下記の（式２）あるいは(式３)である場合がより好ましい。
【００７５】
Ｗ４＝２＊Ｌ２＊Ｗｓ／ＩＰＧｓ・・・（式２）
Ｗ４＝２＊Ｌ１＊Ｗｓ／ＩＰＧｓ・・・（式３）
これにより、分断部の面積が第４部分６４により保管され、ＰＤＰの表示画面を見たときに維持電極６とフローティング維持電極６ａとの境界が曖昧になる。その結果、表示画面における有効表示領域と非表示領域間との境界において違和感が生じる問題を解決することができる。
【００７６】
６−３、実施形態の結果
次に、図８（ａ）、図９（ａ）、図１０（ａ）の各電極の配列構造において有効表示領域と非表示領域における反射率差分の結果を説明する。
【００７７】
反射率差分とは、有効表示領域の反射率と非表示領域の反射率との差である。反射率とは、波長が媒質の境界面で反射するとき、入射する波長に対する反射する波長の比を数値化した値である。そして、反射率差分は次のように求められる。
【００７８】
１）図８（ａ）に示す電極の配列構造において、図７に示すように、有効表示領域において１の放電セル分の領域Ａにおける平均反射率を測定し、無画部Ａも同様に分断部を含む放電セルのうち外側に位置する１の放電セルの領域Ａにおける平均反射率を測定する。
【００７９】
２）１）で測定された有効表示領域における平均反射率と無画部Ａにおける平均反射率の差を反射率差分とする。
【００８０】
３）ＰＤＰの短辺方向に領域を少しずつずらしていき、各領域における平均反射率から反射率差分を求める。
【００８１】
図８（ｂ）〜図１０（ｂ）の縦軸は、各領域における平均反射率を示している。そして、横軸は、各領域の場所を示している。例えば、図７に示すＡ〜Ｄは図８（ｂ）におけるＡ〜Ｄに対応している。
【００８２】
図８（ｂ）は図８（ａ）の電極構造である場合の反射率差分が最大となるときを１００％とし、基準としている。この基準に基づいて、図９（ｂ）は図９（ａ）の電極構造である場合、図１０（ｂ）は図１０（ａ）の電極構造である場合の各領域における平均反射率を示している。
【００８３】
図８（ｂ）〜図１０（ｂ）に示すように、反射率差分の数値が高いほど、有効表示領域と無画部Ａとの平均反射率の差が大きい。反射率差分が高いほど、ＰＤＰの表示面を見たときに有効表示領域と非表示領域との境界が明確に視認されてしまう。
【００８４】
例えば、有効表示領域は領域Ａ〜Ｄのいずれも分断部を有さないが無画部Ａの領域Ａ〜Ｃは、フローティング維持電極６ａを構成する分断部が存在する。特に領域Ｂにおいては、分断部を４つ含むため、有効表示領域と無画部Ａの反射率差分が最も大きい。したがって、領域Ｂにおいて特に有効表示領域と非表示領域との境界が明確に視認されてしまう。
【００８５】
一方、領域Ｄでは、無画部Ａは有効表示領域と同様の電極構造であり、分断部を含まないため反射率差分が最も小さい。したがって、領域Ｄにおいては、特に有効表示領域と非表示領域との境界が視認されにくい。
【００８６】
図９（ａ）の電極構造における反射率差分の結果は図９（ｂ）に示されている。図９（ａ）の電極構造では、隣り合う維持電極の分断部の位置が隔壁を境に左右にずれている。そのため、反射率差分が図８（ａ）の電極構造における反射率差分の値より小さく、反射率差分の最大が約５０％である。したがって、維持電極６とフローティング維持電極６ａの境界がより明確に視認されない。その結果、ＰＤＰの表示画面の表示品質低下の問題をに違和感が生じる問題を解決することができる。
【００８７】
さらに図１０（ａ）の電極構造における反射率差分の結果は図１０（ｂ）に示されている。図１０（ａ）の電極構造では、隣り合う維持電極の分断部の位置が隔壁を境に左右にずれており、かつ、上記（式２）あるいは（式３）を満たしている。そのため、反射率差分は図８（ａ）の電極構造における反射率差分の値より小さく、さらに図９（ａ）の電極構造における反射率差分の値より小さい。図１０（ｂ）に示すように、反射率差分の最大は約３３％である。したがって、維持電極６とフローティング維持電極６ａとの境界がさらに明確に視認されない。その結果、ＰＤＰの表示画面に違和感が生じる問題を解決することができる。
【００８８】
本実施の形態では、走査電極５の端子があるＰＤＰの右手方向の有効表示領域と無画部Ａに関して述べているが、維持電極６の端子があるＰＤＰの左手方向の有効表示領域と無画部Ａに関しても、走査電極５と維持電極６の相関関係が変化するだけで、同等の構造である。例えば、維持電極６の端子があるＰＤＰの左手方向の無画部Ａでは、走査電極５に分断部が形成され、かつ無画部Ａおよび無画部Ｂには走査電極５と同構造のフローティング電極を形成する構造とする。
【００８９】
同等の構造とすることにより、維持電極６の端子があるパネルの左手方向の無画部Ａでも走査電極５とフローティング電極の境界が曖昧になり、表示画面に違和感が生じる問題を解決できる。
【００９０】
＜他の実施の形態＞
以上、本発明の実施の形態１について説明した。しかし、実施の形態１に示された内容に限られない。そこで、他の実施の形態について説明する。
【００９１】
例えば、無画部Ｂに対して、走査電極５および維持電極６のフローティング維持電極の構造を変化させて、有効表示領域と無画部Ｂとの反射率差分を５％以内とする。隔壁が形成されない無画部Ｂでは、より反射率が低い。そのため、フローティング維持電極６ａの面積を有効表示領域における面積を７５％まで減らす。面積を減らす方法に関しては、例えば、走査電極５および維持電極６のフローティング維持電極６ａの電極幅を細くすることや、第３部分６３を１セル毎に形成されている配置から２セル毎に形成されている配置にする等の方法がある。これにより、有効表示領域と無画部Ｂとの反射率差分がより小さくなり、ＰＤＰの表示画面に違和感が生じる問題を解決できる。
【００９２】
７、実施の形態のまとめ
上記実施形態において特徴的な部分を以下に列記する。なお、上記実施形態に含まれる発明は、以下に限定されるものではない。なお、各構成の後ろに括弧で記載したものは、各構成の具体例である。各構成はこれらの具体例に限定されるものではない。
【００９３】
（１）
本発明のＰＤＰは、基板に導電性の第１電極および第２電極を間に放電ギャップを設けて配置して表示電極を構成するとともにその表示電極を行方向に複数本配列して設けた前面板と、この前面板に間に放電空間を設けて対向配置されかつ表示電極と交差する列方向に複数本のデータ電極を形成して交差部分にセルを設けた背面板と、この背面板に設けられかつ放電空間をセル毎に区画する隔壁とを有し、第１電極および第２電極は、放電ギャップを介して対向する第１部分と、この第１部分から間隔をあけて平行に配置された第２部分と、第１部分と第２部分とを接続しかつセル毎に設けた第３部分とを備えている。そして、前面板の画像を表示しない非表示領域において第２電極の第１部分および第２部分は分断部を有し、非表示領域が始まる第１番目のセルと第２番目のセルを区画する隔壁に対応する位置から第１番目のセル側に第１部分と第２部分のうちの一方の分断部が形成され、かつ、他方の分断部は第２番目のセル側に形成され、分断された非表示領域における第２電極は表示領域の第２電極と非導電であることを特徴とする。
【００９４】
これにより、分断部が千鳥構造となり、分断部が視認されにくくなる。その結果、非表示領域における表示品質が改善され、より額縁の狭いＰＤＰを提供することが可能となる。
【００９５】
（２）
（１）に記載のＰＤＰは、第１番目のセル上に前記第１部分の分断部が形成され、かつ、第２番目のセル上に第２部分の分断部が形成されることを特徴とする。
【００９６】
これにより、非表示領域における誤った放電が発生するのを防ぐことができ、高品質なＰＤＰを提供することができる。
【００９７】
（３）
（１）に記載のＰＤＰは、分断部は１００μｍ以下９０μｍ以上であることを特徴とする。
【００９８】
これにより、分断部がより狭小化されることで分断部とそれ以外との境目が視認されにくくなり、表示品質のより高いＰＤＰを提供することができる。
【００９９】
（４）
（１）〜（３）のいずれかに記載のＰＤＰにおいて、１つの第２電極の第２部分と行方向に隣り合う他方の第２電極の第２部分とを接続した第４部分を備えることを特徴とする。
【０１００】
これにより、分断部の面積が補償され、より分断部が視認されにくくなる。その結果、表示品質のより高いＰＤＰを提供することができる。
【０１０１】
（５）
（４）に記載のＰＤＰにおいて、第４部分の面積は、第４部分を有する第１部分の分断部と第２部分の分断部における面積を加算した面積値以下であることを特徴とする。
【０１０２】
これにより、補償面積が太くなってしまったことで黒味が増して視認されやすくなることを防ぐことができる。その結果、表示品質のより高いＰＤＰを提供することができる。
【０１０３】
（６）
（４）に記載のＰＤＰにおいて、第４部分の面積は、第４部分を有する第２部分の分断部における面積であることを特徴とする。
【０１０４】
これにより、補償面積が最適な値をとることでより分断部と分断部以外との境界が視認されにくくすることができる。その結果、表示品質のより高いＰＤＰを提供することができる。
【産業上の利用可能性】
【０１０５】
以上のように本発明は、表示品質のより高いプラズマディスプレイパネルを提供する上で有用な発明である。
【符号の説明】
【０１０６】
１  前面板
２  背面板
３  放電空間
４  前面基板
５  走査電極
６  維持電極
６ａ  フローティング維持電極
７  表示電極
８  誘電体層
９  保護膜
１０  背面基板
１１  絶縁体層
１２  データ電極
１３  隔壁
１４Ｒ、１４Ｇ、１４Ｂ  蛍光体層
１５  放電セル
５１、６１  第１部分
５２、６２  第２部分
５３、６３  第３部分
６４  第４部分
【図１】
2013152835.tif 000003
【図２】
2013152835.tif 000004
【図３】
2013152835.tif 000005
【図４】
2013152835.tif 000006
【図５】
2013152835.tif 000007
【図６】
2013152835.tif 000008
【図７】
2013152835.tif 000009
【図８】
2013152835.tif 000010
【図９】
2013152835.tif 000011
【図１０】
2013152835.tif 000012